(57)【要約】      （修正有）【課題】玩具物品を捕捉あるいは挟んで取り出すことによって、簡単かつ娯楽効果の高い、釣り挟み式玩具構造体を提供する。【解決手段】玩具構造体１は、玩具物品２を捕捉あるいは挟んで取り出す釣り挟み式の玩具構造体であって、本体１０と、複数の挟持具１１と、一つの可動部材１２とを含む。本体は複数の孔部１０１を有し、複数の挟持具は、挟持部１１１と、枢接部１１２と、つり合い部１１３とを含み、つり合い部を孔部に穿設するとともに、挟持部に挟持空間１１４を形成する。可動部材は枢接部に枢接しているとともに本体を取り囲んでおり、かつ本体に対して上下に移動することができ、可動部材が移動する際、挟持具が枢接部を支点として回動することにより挟持空間の大きさを改変し、玩具物品を捕捉あるいは挟んで取り出す。【選択図】図２
0003221286.tif 000002
【実用新案登録請求の範囲】
【請求項１】
玩具物品を捕捉あるいは挟んで取り出す釣り挟み式の玩具構造体であって、
本体と、複数の挟持具と、一つの可動部材とを含み、
前記本体が複数の孔部を有し、
前記複数の挟持具が、挟持部と、枢接部と、つり合い部とを含み、前記つり合い部を前記孔部に穿設するとともに、前記挟持部に挟持空間を形成し、
前記可動部材が前記枢接部に枢接しているとともに前記本体を取り囲んでおり、かつ前記可動部材が前記本体に対して上下に移動することができ、
前記可動部材が移動する際、前記挟持具が前記枢接部を支点として回動することにより前記挟持空間の大きさを改変し、もって前記挟持部が前記玩具物品を捕捉あるいは挟んで取り出すことを特徴とする、玩具構造体。
【請求項２】
前記可動部材がリング構造を形成するとともに複数の凹部を有し、前記凹部が前記枢接部に枢接することを特徴とする、請求項１記載の玩具構造体。
【請求項３】
前記枢接部がアーチ型の突起状に形成されており、前記凹部に係着および枢接に用いることを特徴とする、請求項２記載の玩具構造体。
【請求項４】
前記挟持部が曲面構造を形成していることを特徴とする、請求項３記載の玩具構造体。
【請求項５】
前記本体に接続され、利用者が把持するために用いる長尺状の棒体をさらに含むことを特徴とする、請求項４記載の玩具構造体。
【請求項６】
前記棒体の長さ及び湾曲状態を改変可能な伸縮部を更に含むことを特徴とする、請求項５記載の玩具構造体。
【請求項７】
前記挟持部の表面には前記玩具物品を挟むために用いる複数の突起構造が設けられていることを特徴とする、請求項６記載の玩具構造体。
【請求項８】
前記挟持部の表面には前記玩具物品を挟むために用いる少なくとも１つのワッシャー構造を含むことを特徴とする、請求項６記載の玩具構造体。
【請求項９】
前記挟持具が３つであることを特徴とする、請求項７記載の玩具構造体。
【請求項１０】
前記本体、前記可動部材及び前記挟持具の材質がプラスチックであることを特徴とする、請求項１記載の玩具構造体。
【考案の詳細な説明】
【技術分野】
【０００１】
本考案は、玩具の技術分野に関し、特に釣り挟み式玩具構造体に関する。
【背景技術】
【０００２】
過去には多くのゲームが次から次へと考案および改善され、かつ、多様化した形態を有する玩具と合わせて共に遊ぶことによって、親子間や友達との感情を深められる他、心身の健康や感覚器官が整えられて発達することにつながる。そのうち、魚釣りゲームはよく見かける玩具の一つである。魚釣りを真似た方式によって、魚玩具と釣り竿玩具それぞれに磁気具を取り付けて、磁性吸着作用を利用することにより、釣り竿玩具を用いて魚玩具を釣り上げるといった魚釣りシミュレート玩具がある。しかし、現在の魚釣り玩具の遊戯性は単純であり、釣り竿玩具の磁気効果を利用して魚玩具を釣り上げるのみで、他の物品を釣り上げることはできない。さらに、魚釣りゲームには肢体の協調性を必要としないことから、かえってチャレンジする楽しみが失われる。
【考案の概要】
【考案が解決しようとする課題】
【０００３】
他方、玩具取り出し装置は、挟んで取る方式を楽しめる技能ゲームであり、その一例として、玩具景品機がある。それは固定式の電子機器であり、電気によって吊り下げ式つかみ具を駆動すると同時に、機器に取り付けた押しボタンでつかみ具の位置を操作し、内部に収容されている景品をつかみ取る。しかし、現在の景品機のほとんどが大型電子機器であり、玩具をつかみ取る営利的なゲーム装置であるため、利用者が機器まで赴いてコインを投入し、機器を使用しなければ、娯楽効果を達成することができない。このように、利用者が楽しめる場所が制限されてしまうのである。
【課題を解決するための手段】
【０００４】
考案者はこの点について、完備していないところを鋭意研究し、かかる産業界における長年蓄積された経験をもとに、本案の釣り挟み式玩具構造体を考案し、前述した公知技術の欠点の改善を図りたい。本考案を適用することより、利用者が玩具構造体を介してその他の玩具を挟み取ることで、従来の魚釣り玩具と景品機の娯楽性の欠如が改善され、もって、娯楽性と肢体協調効果が達成される。
【０００５】
本考案の一目的は、玩具物品を捕捉あるいは挟んで取り出すことによって、簡単かつ娯楽効果の高い、釣り挟み式玩具構造体を提供することにある。
【０００６】
前述目的を達成するため、本考案は、玩具物品を捕捉あるいは挟んで取り出す釣り挟み式の玩具構造体であって、本体と、複数の挟持具と、一つの可動部材とを含み、前記本体が複数の孔部を有し、前記複数の挟持具が、挟持部と、枢接部と、つり合い部とを含み、前記つり合い部を前記孔部に穿設するとともに、前記挟持部に挟持空間を形成し、前記可動部材が前記枢接部に枢接しているとともに前記本体を取り囲んでおり、かつ前記可動部材が前記本体に対して上下に移動することができ、前記可動部材が移動する際、前記挟持具が前記枢接部を支点として回動することにより前記挟持空間の大きさを改変し、もって前記挟持部が前記玩具物品を捕捉あるいは挟んで取り出すことを特徴とする、玩具構造体を提供する。これにより、利用者が従来の魚釣り装置または景品機の欠点を避けることができ、本体を操作して遊戯プロセスにおける肢体の協調性を享受できると共に、娯楽効果を有する遊戯具に仕上げられる。
【０００７】
この他、前記可動部材がリング構造を形成するとともに複数の凹部を有し、前記凹部が前記枢接部に枢接することにより、枢接部と可動部材との枢接安定性が向上されてもよい。さらに、前記枢接部がアーチ型の突起状に形成されており、前記凹部に係着および枢接に用いることにより、枢接部が凹部との枢接の安定性を増やし、挟持具が枢接部を支点として回動する際の安定性が向上されてもよい。
【０００８】
また、前記挟持部が曲面構造を形成していることにより、玩具の挟み取りの利便性を高める他、つかみ取るときの安定性が向上されてもよい。
【０００９】
この他、前記本体に接続され、利用者が把持するために用いる長尺状の棒体をさらに含んでもよく、利用者がこれをつかみ本体の操作ができる。
【００１０】
前記棒体の長さ及び湾曲状態を改変可能な伸縮部を更に含み、棒体の長さと湾曲状態を改変することによって玩具構造体の遊戯ハードルを改変して、娯楽性が向上されてもよい。
【００１１】
さらに、前記挟持部の表面には前記玩具物品を挟むために用いる複数の突起構造が設けられて、各挟持部の挟み取り安定性を向上してもよい。
【００１２】
また、他の一つ実施例において、前記挟持部の表面には前記玩具物品を挟むために用いる少なくとも１つのワッシャー構造を設け、挟持部の摩擦係数を増やして、つかみ取る状態の安定性を向上してもよい。
【００１３】
前記挟持具が３つであることで、玩具のつかみ取る動きの利便性を高めてもよい。
【００１４】
前記本体、前記可動部材及び前記挟持具の材質がプラスチックであってもよく、その場合プラスチック材の低密度特性を利用し、利用者による遊戯が便利になる。
【考案の効果】
【００１５】
以上をまとめると、本考案の玩具構造体は、玩具物品を捕捉あるいは挟んで取り出すことを通じて、肢体協調の効果を実現できる。そして、利用者が本体を操作し、可動部材を移動させ、挟持具を操縦することにより、捕捉あるいは挟んで取り出すことができる。よって、本考案の玩具構造体は、まさしく娯楽性とチャレンジ性を富んだ玩具であると言える。
【図面の簡単な説明】
【００１６】
【図１】本考案の好ましい実施例に係る立体構造図である。
【図２】本考案の好ましい実施例に係る使用態様図（その一）である。
【図３】本考案の好ましい実施例に係る使用態様図（その二）である。
【図４】本考案の好ましい実施例に係る本体構造図である。
【図５】本考案の好ましい実施例に係る可動部材構造図である。
【図６】本考案の好ましい実施例に係る挟持具構造図である。
【図７】本考案のもう一つ実施例に係る立体構造図である。
【図８】本考案のもう一つ実施例に係る挟持具構造図である。
【考案を実施するための形態】
【００１７】
審査官の方々による本考案の内容のさらなる理解を図るため、図面を参照しながら以下に本考案の実施例を説明する。
【実施例】
【００１８】
図１から図６の、本発明の好ましい実施例に係る立体構造図、使用状態図（その一）及び使用状態図（その二）、本体構造図、可動部材構造図、挟持具構造図を参照する。図に示すように、本考案の玩具構造体１は、玩具２をつかむまたは挟んで取り出すものであり、本体１０と、複数の挟持具１１と、一つの可動部材１２とを含む。そのうち、本体１０が複数の孔部１０１と、一つの収容空間１０２とを有し、かかる収容空間１０２が孔部１０１と連絡されている。この実施例において、本体１０は引き輪１０３をさらに有する。この他、各挟持具１１は、挟持部１１１と、枢接部１１２と、つり合い部１１３とを含む。各挟持部１１１と、各つり合い部１１３がそれぞれ各枢接部１１２に対向していて、異なる長さを有する。各つり合い部１１３が各孔部１０１に穿設され、各つり合い部１１３は収容空間１０２において作動できる。各挟持部１１１には挟持部空間１１４が形成されている。さらに、可動部材１２をそれぞれ枢接部１１２に枢接して、本体１０を取り囲んでいる。そのうち、可動部材１２が移動する際、可動部材１２が本体１０に対して上下に移動される。一方、各挟持具１１が枢接部１１２を支点として回動すると共に、挟持部空間１１４の大きさを改変し、各挟持部１１１による景品具体２をつかむまたは挟んで取り出す。
【００１９】
好ましくは、利用者が遊戯する際に本体１０を操作して、本体１０と、可動部材１２との間の相関位置を改変して、可動部材１２が本体１０に対して上下に移動される。この実施例において、玩具２例えばボール体を地上または机の上などの平面に取り付けていて、玩具機の構造１を用いて、玩具２をはさみ取る。図２に示すように、利用者が本体１０または引き輪１０３を握り、本体１０を玩具２の方向に向かって上下に移動させる。可動部材１２が本体１０に直接接触していないため、可動部材１２が本体１０に対して上向き向の運動力を発生し、各挟持具１１を連動させる。各枢接部１１２が可動部材１２に枢接しており、各挟持具１１が各枢接部１１２を支点として回動し、てこのつり合い状態を達成する。
【００２０】
この他、各つり合い部１１３が各孔部に貫いて、収容空間１０２にて作動されることにより、いずれか２つのつり合い部１１３が挟持部空間１０２の大きさによって制限される。図４の本体構造図に示すように、いずれか一つの孔部１０１の外観がカプセル状を形成した異なる半径を持つ２つのアーチ部を有し、いずれか一つのつり合い部１１３の作動を制限すると共に、所定の状況において、つり合い部１１３同士がぶつかって係止することによって、各つり合い部１１３が各枢接部１１２に対して作動するときの回動角度を制限する。これにより、各つり合い部１１３が本体１０からの逸脱を避けて、挟み取り作業の利便性を高める。
【００２１】
上記説明の続きとして、可動部材１２が本体１０に対して上向き運動するとき、各枢接部１１２が可動部材１２と合わせて上向きに運動される。各挟持部１１１と、各つり合い部１１３がそれぞれ各枢接部１１２との長さが異なる。さらに、実際には可動部材１２が本体１０に対して右向きまたは左向きに運動し、加速度と空気抵抗力等の要因から、各挟持具１１のつり合い状態が崩される。よって、各つり合い部１１３が各枢接部１１２に対して、本体１０の中心部方向に回動し、かつ、各挟持部１１１が各枢接部１１２に対して、挟持部空間１１４から離れる方向に回動し、挟持部空間１１４を拡大させ、玩具２をつかみ取ることができる。
【００２２】
続いて、図３の使用態様図（その二）を参照する。玩具２がすでに挟持空間１１４にあるとき、利用者はさらにかかる玩具２をつかみ取ることができる。本体１０を玩具２の方向に向かって上下に移動し、可動部材１２が本体１０に対して下向き向の運動力を発生すると同時に、挟持具１１を連動させる。同じく、各つり合い部１１３が各枢接部１１２に対して、本体１０の中心部方向に回動し、かつ、各挟持部１１１が各枢接部１１２に対して、挟持部空間１１４の方向に回動し、挟持部空間１１４を縮小させ、玩具２をつかみ取ることができる。引き続きに本体１０を操作して玩具２を取り付けた平面から離せて、玩具機構造１と玩具２とを合わせて、前述平面を離せて、はさみ取り効果を達成する。
【００２３】
またもう一つの実施例において、玩具２が移動式ボール玩具の場合、利用者は前述した説明に基づき、玩具２をつかむことができる。このように利用者は従来式の魚釣り玩具と景品機玩具の欠点を避けて、本体１０の操作に肢体協調性が必要なため、遊戯のチャレンジ性により、玩具２をつかむまたはさんで取る。これにより、つかむまたは挟んで取り出す玩具構造体１にチャレンジ性と娯楽効果の玩具となり、自宅または屋外で楽しむことができる。
【００２４】
さらに、図５の可動部材構造図に示すように、可動部材１２がリング構造を形成している。この実施例において、可動部材１２に複数のシェール構造１２２を設けられている。いずれか２つのシェール構造１２２の間に複数の凹部１２１を形成していて、かつ、各凹部１２１が各枢接部１１２に枢接している。そのうち、各シェール構造１２２が固定状態を形成し、各凹部１２１の大きさを制限および固定し、遊ぶときに各枢接部１１２が可動部材１２での水平移動を避けて、各枢接部１１２を各凹部１２１に確実に枢接して、その安定性を向上する。さらに、各枢接部１１２がアーチの突起状を形成し、各凹部１２１に係着および枢接に用いる。これにより、枢接部１１２が各凹部１２１に枢接する安定性を向上できると共に、各挟持具１１１が各枢接部１１２を支点として回動するときの安定性を向上できる。
【００２５】
さらに、図６の挟持具の構造図に示すように、各挟持部１１１は玩具２のつかみ取る表面に複数の突起構造１１１１を設けられている。または他の一つ実施例において、図８に示すように、挟持部１１１が玩具２をつかみ取る表面に少なくとも１つのワッシャー構造１１１２が設けられている。これにより、各突起構造１１１１またはワッシャー構造１１１２によって、各挟持部１１１の玩具２をはさみ取る表面の摩擦係数を増やして、各挟持部１１１による玩具２のはさみ取る安定性を向上する。
【００２６】
好ましくは、各挟持部１１１を曲面構造に仕上げ、その凹面が挟持部空間１１４を向けさせる。これにより、玩具２とより大きい接触面積を有し、玩具２特にボール体の玩具２のはさみ取るに便利が与えられる。さらに、挟みとるときの安定性が向上される。
【００２７】
この他、もう一つの実施例において、図７の立体構造図に示すように、つかむまたは挟んで取り出す玩具構造体１が長い棒体１３をさらに含む。かかる長い棒体１３が留め金１３２を有し、留め金１３２が引き輪１０３に接続している。これにより、利用者が長い棒体１３をつかみ、長い棒体１３を介して本体１０を操作して遊戯することができる。この他、長い棒体１３の操作によって本体１０を操作すれば、本体１０操作のハードルを高くして、遊戯のチャレンジ性を増やして娯楽効果を向上できる。
【００２８】
かかる長い棒体１３が伸縮部１３１をさらに設けられている。この実施例において、伸縮部１３１は伸縮カラー構造を例示している。伸縮部１３１のカラー構造は複数の等価断面積のカラーを互いに接続した伸縮性と弾性を有し、長い棒体１３の長さと湾曲状態を改変できる。これにより、魚釣りをシミュレートできるほか、つかむまたは挟んで取り出す玩具構造体１遊戯のハードルを高くして、チャレンジ性と娯楽効果を向上できる。
【００２９】
好ましくは、挟持具１１を３つにすることで、玩具２を挟みとるときの利便性を高める。挟持具１１を２つだけ設ける場合においては挟みとる安定性が悪く、挟持具１１を用いて玩具２をつかみ取ることが難しいため、利用者の遊び意欲が失われる。一方、挟持具１１を４つ設ける場合には、収容空間１０２に多くのつり合い部１１３が存在し、遊ぶときにいずれか２つのつり合い部１１３がぶつかり合って、いずれか一つのつり合い部１１３作動の回動角度を限定してしまう。同じく、挟持具１１が５つを超えると、全体の動作に差し支える。挟持具１１が各孔部１０１と、各凹部１２１と、各挟持具１１と、各孔部１０１と、各凹部１２１と一致する必要がある。よって、挟持具１１が４つ以上の場合は、つかむまたは挟んで取り出す玩具構造体１の製造コストがかさばる。よって、つかむまたは挟んで取り出す玩具構造体１に３つの挟持具１１を設けることによって、最適な製造コストと、挟みとる効果を達成できる。
【００３０】
かかる本体１と、可動部材１２と、挟持具１１の材質がプラスチック材であり、特に硬質プラスチック材のプラスチック材である。かかる玩具２もプラスチック材で仕上げることが好ましい。これにより、プラスチック材の低密度特性と優れた靭性と低コストにより、利用者の使用および遊戯に有利である。
【００３１】
以上をまとめると、本考案の玩具構造体は、玩具２をつかむまたは挟んで取り出すことを通じて、肢体協調の効果を実現できると共に、娯楽効果とチャレンジ性を楽しめることができる。利用者が本体１０を操作して、可動部材１２を移動させて、引き続き挟持具１１を操作して、玩具２をつかむまたは挟んで取り出すことができる。さらに、枢接部１１２のアーチ突起状と、各凹部１２１に枢接することによって、その安定性が向上される。よって、本考案のつかむまたは挟んで取り出す玩具構造体１によれば、従来の魚釣りまたは挟みとる玩具の欠点を改善し、利用者による遊戯の肢体協調性を向上し、より良い娯楽効果とチャレンジ性をもたらせる。
【符号の説明】
【００３２】
１              釣り挟み式玩具構造体
１０            本体
１０１          孔部
１０２          収容空間
１０３          引き輪
１１            挟持具
１１１          挟持部
１１１１        突起構造
１１１２        ワッシャー構造
１１２          枢接部
１１３          つり合い部
１１４          挟持空間
１２            可動具
１２１          凹部
１２２          シェール構造
１３            長い棒体
１３１          伸縮部
１３２          留め金
２              玩具
【図１】
0003221286.tif 000003
【図２】
0003221286.tif 000004
【図３】
0003221286.tif 000005
【図４】
0003221286.tif 000006
【図５】
0003221286.tif 000007
【図６】
0003221286.tif 000008
【図７】
0003221286.tif 000009
【図８】
0003221286.tif 000010